(57)【要約】【課題】色の調子に関する感覚的用語に合致した色調整を容易に行うことができるカラー画像処理装置を提供する。【解決手段】  カラー画像データを明度方向Ｍ、彩度方向Ｎ及び色相軸Ｋを有する色空間に変換し、色空間におけるカラー画像データの明度成分及び彩度成分を相関的に変化させることで色の調子に関する感覚的用語の有する方向性ＳＴＵＶに合致した色調整を行うことができる。【選択図】図３
2006237773.tif 000002
【特許請求の範囲】
【請求項１】
カラー画像データに色調整を施すカラー画像処理装置であって、
前記カラー画像データについて、色の調子に関する所定の感覚的用語で表現された性質の増減変化を指示する操作入力手段と、
前記増減変化の指示に応答して、所定の色空間において前記所定の感覚的用語に相当する変化方向に前記カラー画像データを変化させ、それによって前記カラー画像データの色調整を行う色調整手段と、
を備え、
前記変化方向が、前記色空間における前記カラー画像データの明度成分、彩度成分及び色相成分の少なくとも２つの成分を相関的に変化させる方向となっていることを特徴とするカラー画像処理装置。
【請求項２】
請求項１記載のカラー画像処理装置であって、
前記感覚的用語として互いに異なる複数の用語が規定されており、
前記複数の用語に対応して、前記変化方向として前記色空間において互いに異なる複数の方向へそれぞれ前記カラー画像データを変化させる複数のモードを有しており、
前記色調整手段は、前記複数のモードから前記操作入力手段によって選択されたモードで色調整を行うことを特徴とするカラー画像処理装置。
【請求項３】
請求項２に記載のカラー画像処理装置であって、
前記操作入力手段から前記複数の方向へのそれぞれの前記カラー画像データの変化を重ねて指示入力することを禁止する禁止手段、
をさらに備えることを特徴とするカラー画像処理装置。
【請求項４】
請求項３に記載のカラー画像処理装置であって、
前記禁止手段が、
前記複数の方向のうちの１つの方向についての前記カラー画像データの変化を前記操作入力手段から指示した後に、前記複数の方向のうちの他の方向についての前記カラー画像データの変化を前記操作入力手段から指示した場合には、前記１つの方向について前記カラー画像データに対して既に行われた色調整の指示を強制的に取り消す強制取消手段、
を備えることを特徴とするカラー画像処理装置。
【請求項５】
請求項２ないし４のいずれかに記載のカラー画像処理装置であって、
前記変化方向として、前記色空間における明度成分及び彩度成分を相関的に変化させる２つの異なる方向を有していることを特徴とするカラー画像処理装置。
【請求項６】
請求項１ないし５のいずれかに記載のカラー画像処理装置であって、
前記色調整手段は、
前記感覚的用語としての「明るさ」の変化に対応づけられ、前記操作入力手段からの指示入力に応答して前記カラー画像データについての明度成分及び彩度成分を正負同符号で相関的に変化させる「明るさ」調整モード、
を有していることを特徴とするカラー画像処理装置。
【請求項７】
請求項１ないし６のいずれかに記載のカラー画像処理装置であって、
前記色調整手段は、
前記感覚的用語としての「濃さ」の変化に対応づけられ、前記操作入力手段からの指示入力に応答して前記カラー画像データについての明度成分及び彩度成分を正負逆符号で相関的に変化させる「濃さ」調整モード、
を有していることを特徴とするカラー画像処理装置。
【請求項８】
請求項２ないし７のいずれかに記載のカラー画像処理装置であって、
前記複数の用語として意味が反対の対となる複数の用語を含むことを特徴とするカラー画像処理装置。
【請求項９】
請求項２ないし８のいずれかに記載のカラー画像処理装置であって、
前記色調整手段は、
前記明度成分を増加させるとともに前記彩度成分を増加させる第１の色調整モードと、
前記明度成分を減少させるとともに前記彩度成分を減少させる第２の色調整モードと、
前記明度成分を減少させるとともに前記彩度成分を増加させる第３の色調整モードと、
前記明度成分を増加させるとともに前記彩度成分を減少させる第４の色調整モードと、
を有し、
前記第１の色調整モードにおける前記明度成分及び彩度成分の相関的変化が、前記感覚的用語としての「明るく」から得る感覚と合致した方向性を有し、
前記第２の色調整モードにおける前記明度成分及び彩度成分の相関的変化が、前記感覚的用語としての「暗く」から得る感覚と合致した方向性を有し、
前記第３の色調整モードにおける前記明度成分及び彩度成分の相関的変化が、前記感覚的用語としての「濃く」から得る感覚と合致した方向性を有し、
前記第４の色調整モードにおける前記明度成分及び彩度成分の相関的変化が、前記感覚的用語としての「淡く」から得る感覚と合致した方向性を有することを特徴とするカラー画像処理装置。
【請求項１０】
請求項２ないし７のいずれかに記載のカラー画像処理装置であって、
前記色調整手段は、
前記明度成分及び前記彩度成分を同方向に相関的に増減させる第１の色調整モードと、
前記明度成分及び前記彩度成分を逆方向に相関的に増減させる第２の色調整モードと、
を有し、
前記第１の色調整モードにおける前記明度成分及び彩度成分の相関的変化が、前記感覚的用語としての「明るく」から得る感覚と合致した方向性を有し、
前記第２の色調整モードにおける前記明度成分及び彩度成分の相関的変化が、前記感覚的用語としての「濃く」から得る感覚と合致した方向性を有することを特徴とするカラー画像処理装置。
【発明の詳細な説明】
【技術分野】
【０００１】
この発明は、カラー画像データに色調整を施すカラー画像処理装置に関する。
【背景技術】
【０００２】
デジタルカラー複合機などには、読み取ったカラー画像データの色味を調整する色調整機能を備えるものがある。この色調整は、スキャナなどで読み取られた画像データを、色の３属性である「色相」「明度」「彩度」を数値化して色を規定する均等色空間、例えばＬａｂなどの色空間による表現に変換した上で、例えば「明度調整機能」によって当該色空間における明度成分を変化させ、「彩度調整機能」によって当該色空間における彩度成分を変化させることによってなされる。例えばこの「明度調整機能」によって画像データの明度成分を上げることで、「色相」及び「彩度」を保存しながら「明度」の高い画像データが得られる。
【０００３】
均等色空間とは、空間中の等距離が、知覚的に等しい差となるように作成した空間である。すなわち、異なる２つの色に対して、人間が感じる違いの度合いと色空間上にプロットした２点間の距離とが比例関係にある空間である。
【０００４】
このような均等色空間においては、色の３属性を独立に扱うことができる。この独立性は、カラー画像の色特性を生かしたモノクロ画像を形成する技術にも利用されている（特許文献１参照）。
【０００５】
【特許文献１】特開２００１−１６４５９号公報
【発明の開示】
【発明が解決しようとする課題】
【０００６】
ところで、色の調子に関する感覚的用語には「明るい」「暗い」「濃い」「淡い」などがあるが、これらの感覚的用語（色感を表現する日常語）は、均等色空間から規定される「色相」「明度」「彩度」の各要素と一致した方向性を有していない。例えば「明るい」という感覚的用語は色空間において明度成分が大きい方向性と一致していない。従って、画像をより「明るい」ものにしようとして「明度調整機能」によって画像データの明度成分を上げても、期待した画像を得られない可能性がある。
【０００７】
つまり一般に用いられる色の調子に関する感覚的用語は「明度」「彩度」「色相」が複合的に変化する方向性を指し示しているのである。従って、例えばより「明るい」カラー画像となるように色調整するためには「明度調整機能」及び「彩度調整機能」を複合的に駆使して画像データの明度成分及び彩度成分を適切に変化させる必要がある。「暗い」「濃い」「淡い」等の感覚的用語に合致した色調整においても同様である。
【０００８】
このように明度成分や彩度成分を複合的に制御する色調整は当該色空間が規定する明度や彩度の方向性を熟知してはじめて可能となるものであり、一般ユーザにとって容易ではない。
【０００９】
また、モノクロ複写機の場合には「暗く」と「濃く」とはほぼ同義であり、これらを区別しなくてもよいが、カラーの場合にはこの２つの用語は互いに違った意味合いを持つ。このため、カラー画像の場合には、感覚的用語による色調整は単にモノクロ画像で行う調整を複数の色成分のそれぞれについて行えばよいというものではなく、色の各要素が絡み合って複雑化したものとなる。
【００１０】
この発明は、上記課題に鑑みてなされたもので、色の調子に関する感覚的用語に合致した色調整を容易に行うことができるカラー画像処理装置を提供することを目的とする。
【課題を解決するための手段】
【００１１】
請求項１の発明は、カラー画像データに色調整を施すカラー画像処理装置であって、前記カラー画像データについて、色の調子に関する所定の感覚的用語で表現された性質の増減変化を指示する操作入力手段と、前記増減変化の指示に応答して、所定の色空間において前記所定の感覚的用語に相当する変化方向に前記カラー画像データを変化させ、それによって前記カラー画像データの色調整を行う色調整手段と、を備え、前記変化方向が、前記色空間における前記カラー画像データの明度成分、彩度成分及び色相成分の少なくとも２つの成分を相関的に変化させる方向となっている。
【００１２】
請求項２の発明は、請求項１記載のカラー画像処理装置であって、前記感覚的用語として互いに異なる複数の用語が規定されており、前記複数の用語に対応して、前記変化方向として前記色空間において互いに異なる複数の方向へそれぞれ前記カラー画像データを変化させる複数のモードを有しており、前記色調整手段は、前記複数のモードから前記操作入力手段によって選択されたモードで色調整を行う。
【００１３】
請求項３の発明は、請求項２に記載のカラー画像処理装置であって、前記操作入力手段から前記複数の方向へのそれぞれの前記カラー画像データの変化を重ねて指示入力することを禁止する禁止手段、をさらに備える。
【００１４】
請求項４の発明は、請求項３に記載のカラー画像処理装置であって、前記禁止手段が、前記複数の方向のうちの１つの方向についての前記カラー画像データの変化を前記操作入力手段から指示した後に、前記複数の方向のうちの他の方向についての前記カラー画像データの変化を前記操作入力手段から指示した場合には、前記１つの方向について前記カラー画像データに対して既に行われた色調整の指示を強制的に取り消す強制取消手段、を備える。
【００１５】
請求項５の発明は、請求項２ないし４のいずれかに記載のカラー画像処理装置であって、前記変化方向として、前記色空間における明度成分及び彩度成分を相関的に変化させる２つの異なる方向を有している。
【００１６】
請求項６の発明は、請求項１ないし５のいずれかに記載のカラー画像処理装置であって、前記色調整手段は、前記感覚的用語としての「明るさ」の変化に対応づけられ、前記操作入力手段からの指示入力に応答して前記カラー画像データについての明度成分及び彩度成分を正負同符号で相関的に変化させる「明るさ」調整モード、を有している。
【００１７】
請求項７の発明は、請求項１ないし６のいずれかに記載のカラー画像処理装置であって、前記色調整手段は、前記感覚的用語としての「濃さ」の変化に対応づけられ、前記操作入力手段からの指示入力に応答して前記カラー画像データについての明度成分及び彩度成分を正負逆符号で相関的に変化させる「濃さ」調整モード、を有している。
【００１８】
請求項８の発明は、請求項２ないし７のいずれかに記載のカラー画像処理装置であって、前記複数の用語として意味が反対の対となる複数の用語を含む。
【００１９】
請求項９の発明は、請求項２ないし８のいずれかに記載のカラー画像処理装置であって、前記色調整手段は、前記明度成分を増加させるとともに前記彩度成分を増加させる第１の色調整モードと、前記明度成分を減少させるとともに前記彩度成分を減少させる第２の色調整モードと、前記明度成分を減少させるとともに前記彩度成分を増加させる第３の色調整モードと、前記明度成分を増加させるとともに前記彩度成分を減少させる第４の色調整モードと、を有し、前記第１の色調整モードにおける前記明度成分及び彩度成分の相関的変化が、前記感覚的用語としての「明るく」から得る感覚と合致した方向性を有し、前記第２の色調整モードにおける前記明度成分及び彩度成分の相関的変化が、前記感覚的用語としての「暗く」から得る感覚と合致した方向性を有し、前記第３の色調整モードにおける前記明度成分及び彩度成分の相関的変化が、前記感覚的用語としての「濃く」から得る感覚と合致した方向性を有し、前記第４の色調整モードにおける前記明度成分及び彩度成分の相関的変化が、前記感覚的用語としての「淡く」から得る感覚と合致した方向性を有する。
【００２０】
請求項１０の発明は、請求項２ないし７のいずれかに記載のカラー画像処理装置であって、前記色調整手段は、前記明度成分及び前記彩度成分を同方向に相関的に増減させる第１の色調整モードと、前記明度成分及び前記彩度成分を逆方向に相関的に増減させる第２の色調整モードと、を有し、前記第１の色調整モードにおける前記明度成分及び彩度成分の相関的変化が、前記感覚的用語としての「明るく」から得る感覚と合致した方向性を有し、前記第２の色調整モードにおける前記明度成分及び彩度成分の相関的変化が、前記感覚的用語としての「濃く」から得る感覚と合致した方向性を有する。
【発明の効果】
【００２１】
請求項１記載の発明では、色空間におけるカラー画像データの明度成分、彩度成分及び色相成分のうち少なくとも２つを色の調子に関する感覚的用語から得る感覚と合致した方向性を有する相関関係のもとで変化させるため、色の調子に関する感覚的用語に合致した色調整を容易に行うことができる。
【００２２】
請求項２記載の発明では、複数の感覚的用語に対応したそれぞれのモードを有しており、その中から選択されたモードで色調整を独立して行うことが可能であるため、ひとつの用語に対応する色調整ではカバーできない広汎な色調整が可能となるとともに、複数のモードが干渉してしまうことを防止できる。
【００２３】
請求項３記載の発明では、複数のモードを重複選択できないようになっているため、ユーザが誤って複数のモードを重複選択することを防止可能である。このため、複数のモードによる色調整が互いに干渉し、ユーザが望まない調整結果になってしまうことを防止できる。
【００２４】
請求項４記載の発明では、ユーザが複数のモードを指定しようとすると、先に指定したモードが強制的に取り消されるようになっているため、ユーザが意識的に重複選択を避ける操作をしなくても、重複選択を自動的に実現することができる。
【００２５】
請求項５ないし請求項９に記載の発明では、ユーザが指定することが多い明度および彩度関係の感覚的用語についての色調整モード選択が可能となっており、その色調整モードの利用頻度を高めることができる。
【発明を実施するための最良の形態】
【００２６】
〈１．デジタルカラー複合機１００〉
図１は、この発明の実施形態であるカラー画像処理装置に相当する機能が組み込まれたデジタルカラー複合機１００の構成を示すブロック図である。このデジタルカラー複合機１００は、カラーファクシミリ機能やカラー複写機機能を有する複合機であり、画像読み取り部１及び画像送受信部２、各種の画像処理を行う入力画像処理部３及び出力画像処理部４、画像形成部５を備えている。そして、各機能構成部はバスなどの内部通信手段によって相互に接続されている。
【００２７】
画像送受信部２は、ＰＳＴＮ（公衆交換電話網）を介して外部端末５００とのファクシミリ通信を可能とする図示しないＮＣＵや、ＬＡＮ及びインターネットを介して外部端末５００とのインターネットファクシミリ通信を可能とする図示しないＬＡＮＩ／Ｆを備えている。
【００２８】
原稿となる画像のデジタル画像データは以下の２つの方法から得ることができる。第１の方法は画像読み取り部１から原稿画像データを得る方法である。例えば、画像読み取り部１においては、フルカラーのフラットベッドスキャナによる原稿画像の読み取りが画素ごとに行われる。これによって原稿画像の画像データがＲＧＢの各色成分ごとに取得される。ここで取得された原稿画像の画像データ、より具体的に述べるとフラットベッドスキャナのＣＣＤから出力される画素ごとのＲＧＢ信号を以下においてＲＧＢ画像データと称する。
【００２９】
第２の方法は画像送受信部２において原稿画像データを受信する方法である。画像送受信部２は、例えばインターネットを介して接続された外部端末５００から電子メール通信によって、原稿画像の画像データを取得する。ここで得られた画像データは例えばＪＰＥＧ形式で圧縮されており、画像データの色表現はＹｃｃ色空間を持つカラー方式によるものである（以下においてＹｃｃ画像データと称する）。
【００３０】
この画像読み取り部１もしくは画像送受信部２によって取得された原稿画像の画像データ（ＲＧＢ画像データもしくはＹｃｃ画像データ）は、入力画像処理部３及び出力画像処理部４において各種の画像処理が施された後に、画像形成部５において例えばフルカラーの電子写真方式によって紙などのプリント媒体上にプリントされる。
【００３１】
なお、以下の説明においては、入力装置から得られる原稿画像の画像データが特にＲＧＢ画像データの場合について説明するが、原稿画像の画像データがＹｃｃ画像データの場合は以下のＬａｂ色空間をＹｃｃ色空間と置き換えることで対応できる。
【００３２】
次に、このデジタルカラー複合機１００のカラーコピー機能を利用する場合を例にとって、入力画像処理部３及び出力画像処理部４における画像処理についてより詳細に説明する。図２は入力画像処理部３及び出力画像処理部４の画像処理動作を示すフローチャートである。
【００３３】
画像読み取り部１より入力画像処理部３にＲＧＢ画像データが入力されると（ステップＳ１）、まずＲＧＢ画像データに第１画像処理が施される（ステップＳ２）。第１画像処理とは、シェーディング補正やγ補正などのＲＧＢ信号に対する所定の補正処理である。
【００３４】
次にＲＧＢ画像データは、行列演算などによってＲＧＢ色空間による表現から所定の色空間による表現へと変換される（ステップＳ３）。なお、所定の色空間とは例えば３次元空間において１つの無彩軸を有するＬａｂやＹｃｃなどの色空間である。本実施例においてはＲＧＢ画像データはＬａｂ色空間による表現に変換されるとする（以下においてＬａｂ画像データと称する）が、Ｙｃｃ色空間などによる実施も可能である。
【００３５】
次にＬａｂ画像データに第２画像処理が施される（ステップＳ４）。第２画像処理とは、主に拡大縮小処理や色調整処理などである。拡大縮小処理や色調整処理はユーザからの指示によってなされるものであり、ユーザからの指示がない場合はこれらの画像処理は行われない。なお、以上のステップＳ１からステップＳ４の各処理は入力画像処理部３において、続くステップＳ５からステップＳ７の処理は出力画像処理部４においてそれぞれなされる。
【００３６】
入力画像処理部３より出力画像処理部４に第２画像処理を施されたＬａｂ画像データが入力されると、Ｌａｂ画像データは、３次元ルックアップテーブル及び補間演算を用いてＣ（シアン）・Ｍ（マゼンダ）・Ｙ（イエロー）・Ｋ（墨）の各色成分のデジタル信号に変換される（以下においてＣＭＹＫ画像データと称する）（ステップＳ５）。
【００３７】
次にＣＭＹＫ画像データに第３画像処理がなされる（ステップＳ６）。この第３画像処理とは、ディザ法や誤差拡散法などを用いたＣＭＹＫそれぞれの色成分ごとの２値化処理などである。第３画像処理を受けたＣＭＹＫ画像データは画像形成部５内のＣＭＹＫの画像形成エンジンへとそれぞれ出力される（ステップＳ７）。以上がデジタルカラー複合機１００の動作概要である。
【００３８】
〈２．Ｌａｂ色空間〉
ここで、以下の各実施の形態に関するＬａｂ色空間の性質について説明する。図３はＬａｂ色空間を表す図である。Ｌａｂ色空間は、Ｌ軸、ａ軸及びｂ軸から規定されており、明度はＬ座標から、色相はａ座標及びｂ座標の比から、彩度はＬ軸との距離から、それぞれ規定される。例えばＬａｂ空間上にある点Ｐの座標を（ａｐ，ｂｐ，Ｌｐ）とすると、点Ｐの明度Ｌ（Ｐ）、彩度Ｃ（Ｐ）及び色相Ｈ（Ｐ）は次のように表される。
【００３９】
【数１】
2006237773.tif 000003
【００４０】
つまり、図３において点Ｐを矢印Ｍの正方向に移動させることは色相及び彩度を保ちつつ明度を上げることを意味する。逆に矢印Ｍの負方向に移動させることは色相及び彩度を保ちつつ明度を下げることを意味する。例えば点Ｐの明度をΔＬ上げたい場合には点Ｐを矢印Ｍの正方向にΔＬ移動させればよい。
【００４１】
また、点Ｐを矢印Ｎの正方向に移動させることは彩度及び明度を保ちつつ彩度を上げることを意味する。逆に矢印Ｎの負方向に移動させることは彩度及び明度を保ちつつ彩度を下げることを意味する。例えば点Ｐの彩度をΔＣ上げたい場合には点Ｐを矢印Ｎの正方向にΔＣ移動させればよい。
【００４２】
さらに、点Ｐを矢印Ｋの方向に移動させることは色相及び彩度を保ちつつ色相を変えることを意味する。例えば点Ｐの色相をΔＨ変化させたい場合には点Ｐを矢印Ｋの方向にＬ軸を中心として角度ΔＨ回転させればよい。
【００４３】
つまり、Ｌａｂ色空間における点Ｐに関して、Ｍが明度軸、Ｎが彩度軸、Ｋが色相軸となっている。
【００４４】
日常用いられる色の調子に関する感覚的用語（人間の色感で表現する用語）もこのＬａｂ色空間における一定の方向性を有している。つまり点Ｐがある方向に移動した場合に、その形容としてより「明るい」という表現が用いられる場合、この方向が「明るい」が有する方向性である。同様に例えば「暗い」「濃い」「淡い」といった色の調子に関する感覚的用語もそれぞれＬａｂ色空間における一定の方向性を有している。
【００４５】
またここで、「明るい」と「暗い」とは意味が反対の対となる２つの用語である。従ってこれらの用語の有する方向性は互いに逆となる。「濃い」と「淡い」も同様に意味が反対の対となる用語である。
【００４６】
図３には「明るい」「暗い」「濃い」「淡い」という４つの色の調子に関する感覚的用語がＬａｂ色空間において有する方向性が、点Ｐを基準としてそれぞれ矢印Ｓ、矢印Ｔ、矢印Ｕ、矢印Ｖで表されている。ここで、矢印Ｓは点Ｐの「明るさ」を上げる方向を示している。同様に矢印Ｔ、Ｕ、Ｖは「暗さ」「濃さ」「淡さ」を上げる方向を示している。つまり例えば点Ｐの「明るさ」をΔＳ上げたい場合には点Ｐを矢印Ｓの方向にΔＳ移動させればよい。なお、最も適切な方向性は各用語（言葉）の慣用性から規定される。
【００４７】
図３においては、先に述べた対となる２つの用語、すなわち「明るい」と「暗い」の各矢印Ｓ、Ｔは同一直線にあって互いに逆の方向を示している。「濃い」と「淡い」の各矢印Ｕ、Ｖについても同様である。
【００４８】
ところで、これら４つの感覚的用語は色相の変化を伴わない。つまりこれらの矢印は全てＬａｂ色空間において色相を保存する方向性を有している。そこで、Ｌａｂ色空間を点Ｐを含む同一色相の平面を面ＰＨとすると、矢印Ｓ〜Ｖは全てこの平面ＰＨ上にある。図４は平面ＰＨを表す図である。
【００４９】
図４からわかるように、矢印Ｓ〜Ｖはそれぞれ明度方向Ｍ及び彩度方向Ｎから規定される平面上にある直線である。ここで、これらの感覚的用語で表現される色調整の方向は、明度方向Ｍまたは彩度方向Ｎの一方に平行ではなく、明度方向Ｍまたは彩度方向Ｎの双方に対して傾きを持つ方向（複合的な変化方向）であるという点が重要である。すなわち、感覚的用語（日常語）としての「明るくする」という表現は、均等色空間上で「明度を上げる」ことには一致しておらず、均等色空間上で「濃度を下げる」という要素を含んでいるということである。同様に、感覚的用語としての「濃くする」という表現は、均等色空間上で「濃度を増加させる」ことには一致しておらず、均等色空間上で「明度を上下げる」という要素を含んでいる。一般に、デジタルカラー複合機の一般ユーザは、均等色空間上での用語に対応して色調整の指示入力を行うことは少なく、ほとんどの場合は感覚的用語に従った色調整の指示を望むから、このような事情を考慮してデジタルカラー複合機１００の色調整機能を構成することが有益となる。そこで、Ｌａｂ色空間において各感覚的用語が有する方向性Ｓ〜Ｖを、明度と彩度との相関的変化、すなわち明度変化量ΔＬ及び彩度変化量ΔＣの相関関係によって規定することができる。
【００５０】
以下の各実施の形態における色調整は、Ｌａｂ色空間において各感覚的用語が有する方向性Ｓ〜Ｖを明度変化量ΔＬ及び彩度変化量ΔＣの相関関係によって規定し、画像データの明度及び彩度をこの相関関係に従って変化させることによって各感覚的用語に合致した色調整を行うものである。
【００５１】
次に、各実施の形態毎に入力画像処理部３における第２画像処理（図２のステップＳ４）の色調整処理の具体的態様について説明する。
【００５２】
〈３．第１の実施の形態〉
図１には入力画像処理部３の構成が示されている。入力画像処理部３は図１に示すように入力画像処理部３の制御を行うＣＰＵ１１、制御プログラムや変換テーブルなどを記憶するＲＯＭ１２、画像データなどを一時的に記憶するＲＡＭ１３を備えている。また、ユーザが各種の指示の入力を行う操作部１４と、各種の表示を行う表示部１５とを備えている。この実施形態の装置では、表示部１５はフラットパネルディスプレイによって構成されている。操作部１４は機能が固定的に割当てられたボタンの配列によって構成してもよく、このフラットパネルディスプレイの表示面上に配置されたタッチパネルによって構成されていてもよい。また、これら２つの方式の組み合せでもよい。以下では、機能が固定的に割当てられたボタンの配列によって操作部１４が実現されている場合を例にとって説明を続ける。
【００５３】
さらに操作部１４は重複選択禁止部１４１を備えている。ここでは、便宜上、重複選択禁止部１４１は操作部１４内の要素として示されているが、ＲＯＭ１２に記憶されたプログラムに基づいて、ＣＰＵ１１とＲＡＭ１３とが、重複選択禁止部１４１の機能を実現することもできる。
【００５４】
また、入力画像処理部３は、第１画像処理部１６、色空間変換処理部１７、第２画像処理部１８を備えており、各機能部において先に述べた第１画像処理、ＲＧＢ画像データからＬａｂ画像データへの変換処理及び第２画像処理がなされる。第２画像処理部１８は拡大縮小処理部１８１及び色調整部１８２に細分化され、各機能部において先に述べた拡大縮小処理及び色調整処理がなされる。第１画像処理部１６，色空間変換部１７および第２画像処理部１８もまた、ＲＯＭ１２に記憶されたプログラムに基づくＣＰＵ１１とＲＡＭ１３の協働によってその機能を実現することが可能であるが、便宜上、これらの要素１１，１２，１３の外部に図示されている。
【００５５】
第１の実施の形態における色調整部１８２は「明るく」「暗く」「濃く」「薄く」のそれぞれに関する４つの色調整モードを有している（以下においてはそれぞれを「明モード」「暗モード」「濃モード」「淡モード」と称する）。例えば「明モード」は原稿画像のＬａｂ画像データの各要素を図４の矢印Ｓの方向に移動させることによってＬａｂ画像データ全体をさらに「明るく」色調整するものである。同様に「暗モード」「濃モード」「淡モード」は、それぞれ矢印Ｔ、Ｕ、Ｖの方向にＬａｂ画像データの各要素を移動させることによって各感覚的用語の示す色調整をする。これらのうち、「明るく」と「暗く」とは、「明るさ」のプラスマイナス方向の変化であるため、この２つを総称して「明暗調整モード」と呼ぶことができる。また、「濃く」と「淡く」とは「濃さ」のプラスマイナス方向の変化であるため、この２つを総称して「濃淡調整モード」と呼ぶことができる。以下においてこれらの色調整モードによる色調整処理の具体的態様について説明する。
【００５６】
〈３−１．色調整モード選択〉
はじめに色調整モードの選択について説明する。図５は第１の実施の形態における操作部１４の外観を、色調整モードの選択段階での表示について示す図である。操作部１４には、５つの色調整モードを選択的に指定するボタン４１〜４５が配置されている。各ボタンには「明るく」「暗く」「濃く」「淡く」「オート」の文字が表示されており、それぞれ「明モード」「暗モード」「濃モード」「淡モード」「自動調整モード」を意味している。さらに各色調整モードの強度選択を行うボタン５１〜５３、決定ボタン６１及び取り消しボタン６２が配置されている。なお、以下では、ボタン４１〜４５の全体を「色調整モード選択ボタン」と呼び、この中で自動調整モードを選択するためのボタン４５だけを特に「オートモードボタン」と呼び、さらに手動操作による指示内容で色調整を行うための４つのボタン４１〜４４を「手動色調整モード選択ボタン」と呼んで区別する。
【００５７】
ユーザは色調整を自動に委ねたいときにはオートモードボタン４５を操作し、決定ボタン６１を操作することによって、色調整は自動で行われる。このオートモードボタン４５のかわりに「色調整なし」としている場合には、色調整を行わないモードとなる。
【００５８】
ユーザが原稿から複製する画像をより「明るく」したい場合、色調整モード選択ボタン４１〜４５のうち「明るく」と記されたボタン４１（「明モード」選択ボタン）を選択して操作する。次に明るくする度合いを強度選択ボタン５１〜５３のうちから選択して操作する。ここでは３つの強度からの選択が可能であり、ボタン５１〜５３に記された数が大きいものほどより強い色調整がなされる。色調整モード選択ボタン４１〜４４のいずれかと、強度選択ボタン５１〜５３のいずれかとが順次に操作されると決定ボタン６１の操作が可能になる。決定ボタン６１が操作されると、選択された色調整モード及び強度が操作部１４より第２画像処理部１８に伝えられ、色調整処理が実行される。
【００５９】
ここで、色調整モード選択ボタン４１〜４４のうちの複数が重複操作された場合、例えば「明るく」と記されたボタン４１（「明モード」選択ボタン）と強度選択ボタン５１〜５３のいずれかとが操作された後に「淡く」と記されたボタン４４（「淡モード」選択ボタン）が操作されたような場合について説明する。決定ボタン６１が操作される前に「淡く」ボタン４２が操作された場合、はじめの「明るい」ボタン４１の操作は重複選択禁止部１４１によって無効とされる。
【００６０】
具体的には、
(1)  先に選択されて所定のメモリ領域（以下「モード登録領域」）上に記憶しておいた選択モード情報（ここでは「明モード」が選択されたという情報）と、選択強度情報（「１」〜「３」のうちから選択された強度の情報）が取り消されてデフォルト状態（たとえばオートモードまたは色調整なしのモード）に戻され、
(2)  新たに「淡モード」が選択されたという情報が選択モード情報として、またこの「明モード」において強度選択ボタン５１〜５３のいずれかによって選択された強度が強度情報として、それぞれモード登録領域に記憶される。
【００６１】
ここでは既登録の取り消しと新規の登録とを別ステップとして情報の更新を行っているが、新たな情報を元の情報の上に直接に上書きすることにより情報の更新を行う場合には、上記(1)(2)は実質的にひとつのステップで実行される。
【００６２】
一方、「明モード」が選択されて決定ボタン６１が操作された後に「淡く」ボタン４４が操作された場合、「淡く」ボタン４２の効力は重複選択禁止部１４１によって無効とされる。つまり決定ボタン６１の操作前は最新の選択が優先され、決定ボタン６１の操作後は元の選択が優先される。
【００６３】
このように２以上の色調整モードを重複して選択することは重複選択禁止部１４１によって禁止されている。また、上記は色調整モード選択ボタン４１〜４４の相互についてであるが、手動色調整モード選択ボタン４１〜４４とオートモードボタン４５との間でも、重複選択が禁止されるようになっている。
【００６４】
ところで、強度選択ボタン５１〜５３を操作せずにモード選択だけを変更した場合、たとえば「明モード」選択ボタン４１の操作の直後に「淡モード」選択ボタン４４が操作された場合にも、「明モード」の情報がクリアされて「淡モード」が新たに設定される。これもまた重複選択の禁止機能であるが、ユーザが「明モード」について強度選択ボタン５１〜５３のいずれかを操作した後に、新たに「淡モード」を選択した場合と比較すると、ユーザの意図に違いがある場合が多い。
【００６５】
すなわち、最初のモード選択と最初の強度選択とを行った後に、次のモード選択と次の強度選択とを行った場合には、最初に選択したモードでの色調整（第１の色調整）と、次に選択したモードでの色調整（第２の色調整）との双方を行おうとする重複選択の意図を持つ場合が多いと考えられる。この実施形態のデジタルカラー複合機１００においてこのような重複選択を禁止しているのは、あらかじめ準備されている４つの色調整モードは互いに独立ではなく、１つのモードによる色調整が他のモードにおける色調整に影響を与えるため、モードを重複選択することを許すと、ユーザの意図に沿った色調整にならない場合が少なくないためである。
【００６６】
たとえば、画像を「明るく」かつ「濃く」するという色調整は、ユーザの主観的としては特定の意図を持つのであろうが、その意味は客観化しにくく、たとえばコントラストを上げるという意図とも解釈できるし、明度と彩度とを上げるという意図とも解釈できる。このため、このような重複選択を許容すると、むしろユーザの意図を反映しない色調整を行うことになってユーザは混乱することが多い。つまり、ここにおける重複選択禁止の意義は、色空間におけるそれぞれの色調整の方向が互いに独立でない（直交していない）ことによる「色調整モード間の干渉」を避けることにある。
【００６７】
これに対して、ひとつの手動色調整モード選択ボタンによってモード指定をした後、強度選択を行なう前に、別の手動色調整モード選択ボタンをユーザが操作するような場合は、モードの選択間違いの訂正である場合が多いと推測される。強度選択ボタンの連続操作も同様である。この場合の重複選択禁止は、もともと重複して選択するつもりではないユーザの意図に沿ったものである。
【００６８】
ボタン操作の状況とこれら２つの原因とは完全に一対一に対応しているものではなく、前者が選択間違いの訂正である場合もあり、後者が積極的な重複選択の意思の表れである場合もある。したがって、実際には２つの原因が混在することになるが、この実施形態のデジタルカラー複合機１００における重複選択禁止機能は、これらの２つの原因のいずれにも対応できるという複合的な意義を有するものである。
【００６９】
もっとも、強度選択ボタン５１〜５３だけを重複操作した場合、たとえば「淡く」ボタン４４を操作した後、強度選択ボタン５１と他の強度選択ボタン５２とを連続的に操作したときには、ユーザの自発的意志による強度選択の訂正である可能性が高いため、強度情報は元の「１」から新たな強度「２」へと書き換えるが、手動色調整モード選択ボタン４１による「淡モード」の設定はリセットしないという態様にすることができる。
【００７０】
すなわち、色調整モードの重複選択についてはこれを禁止することが好ましいが、強度単独での連続操作の場合についてはは、「強度の重複選択」という概念がありえないとユーザが理解できるから、そのような連続操作は強度だけの訂正として扱った方が、ユーザの意思に沿ったものとなる。このため、この実施形態では強度選択を連続して行った場合には強度のみ登録を更新し、色調整モードの登録情報はそのまま維持している。ただし、さらにその後に新たな色調整モードの選択操作があった場合には、色調整モードと強度との双方をリセットし、色調整モードを最新の選択に沿ったもに書き換えるようになっている。
【００７１】
なお、その時点で選択されている色調整モード及び強度がいずれとなっているかは、表示部１５の可変表示性を利用し、該当するボタンの表示色などを他よりも濃くするなどの表示制御を行うことにより、ユーザに容易に理解させることができる。これによって、ユーザによる操作ミスを防ぐことができる。
【００７２】
一方、ユーザが決定ボタン６１を操作する前に取り消しボタン６２を操作すると、既に入力して登録されている選択モード情報および選択強度情報が強制的にリセット（クリア）される。上記のようにこの実施形態のデジタルカラー複合機１００では、新たに色調整モード選択ボタン４１〜４５や強度選択ボタン５１〜５３を操作することにより、それ以前に選択していたモードや強度はリセットされるため、取り消し（リセット）ボタン６２をユーザが操作しなくても入力誤りを訂正することができる。しかしながら、ユーザがこのような重複選択禁止機能について知らない場合もあるため、取り消しボタン６２をも設けることによって利便性を高めている。また、オートモードボタン４５を設けない場合には、いったん手動色調整モードのいずれかを選択した後、色調整をデフォルト（オートモードあるいは色調整なし）に訂正する目的で取り消しボタン６２を操作させることもできる。
【００７３】
また、重複選択禁止部１４１は、上記とは別の態様で構成することもできる。すなわち、色調整モード選択ボタン４１〜４５や強度選択ボタン５１〜５３を重複操作すると強制的に元の選択モード情報や選択強度情報をリセットさせるのではなく、重複操作を行うと「異なるモードでの色調整は二重指定できません。いったん取り消しボタンを押して元の選択を取り消してください」などのメッセージを表示部１５に表示させるとともに、デジタルカラー複合機１００に設けた音源（図示せず）から所定の警告音を発するようにしてもよい。
【００７４】
〈３−２．調整係数〉
次に、調整係数について説明する。調整係数とは各色調整モード及び強度毎のテーブルＴＢとしてＲＯＭ１２に記憶されているものである。
【００７５】
図６は調整係数テーブルＴＢの一例を示す図である。先に述べたように、「明モード」は原稿画像のＬａｂ画像データの各要素を図４に示した矢印Ｓの方向にΔＳだけ移動させるものである。同様に「暗モード」「濃モード」「淡モード」は矢印Ｔ、Ｕ、Ｖの方向にΔＴ、ΔＵ、ΔＶだけ移動させるものである。
【００７６】
ここで、ΔＳの値は調整の強度を規定する要素であり、ΔＳが大きいほど「明るく」なる度合いが大きい。つまり強度１、２、及び３の「明モード」はそれぞれ点ＰをＳ方向にΔＳ１、ΔＳ２、ΔＳ３移動させてそれぞれＰＳ１、ＰＳ２、ＰＳ３とする（図４参照）。「暗モード」においても同様で、強度１、２、及び３の「暗モード」はそれぞれ点ＰをＴ方向にΔＴ１、ΔＴ２、ΔＴ３移動させてそれぞれＰＴ１、ＰＴ２、ＰＴ３とする。「濃モード」「淡モード」においても同様である。
【００７７】
ところで先に述べたように、点Ｐを矢印Ｓ、Ｔ、Ｕ、Ｖの各方向に移動させるには点Ｐの明度及び彩度を変化させればよいが、この明度変化量ΔＬと彩度変化量ΔＣとの間に一定の相関関係をもたせたものとする。この相関関係に従った明度変化量ΔＬ及び彩度変化量ΔＣの値を各色調整モード及び強度毎に示したものが調整係数テーブルＴＢである。例えば図６の調整係数テーブルＴＢによると、強度１の「明モード」において点ＰをΔＳ１移動させるために必要な明度変化量ΔＬ（Ｓ１）を点Ｐの明度Ｌｐの＋５％とする。
【００７８】
さらに、図７の調整係数テーブルＴＢによると「明モード」「暗モード」「濃モード」「淡モード」のそれぞれにおいては、明度変化量ΔＬと彩度変化量ΔＣの間で、
【００７９】
【数２】
2006237773.tif 000004
【００８０】
という相関関係を持たせている。
【００８１】
すなわち、「明るさ」調整モードに属する「明モード」「暗モード」では、明度成分及び彩度成分を正負同符号で相関的に増減変化させることになり、「濃さ」調整モードに属する「濃モード」「淡モード」では、明度成分及び彩度成分を正負逆符号で相関的に増減変化させることになる。
【００８２】
図８は別の相関関係による調整係数テーブルＴＢの例を示す図である。図８の調整係数テーブルＴＢは、原稿画像のＬａｂ画像データの各要素を図７に示した矢印Ｓ、Ｔ、Ｕ、Ｖの方向にそれぞれΔＳ、ΔＴ、ΔＵ、ΔＶだけ移動させるものである。図８の調整係数テーブルＴＢによると「明モード」「暗モード」「濃モード」「淡モード」のそれぞれにおいては、明度変化量ΔＬと彩度変化量ΔＣの間で、
【００８３】
【数３】
2006237773.tif 000005
【００８４】
という相関関係を持たせている。図７においては矢印ＳとＴが同一直線上にないため、彩度変化量ΔＣに対する明度変化量ΔＬの変化の割合が「明モード」と「暗モード」間で異なるものとなる。「濃モード」と「淡モード」間においても同様である。
【００８５】
〈３−３．色調整処理〉
次に、色調整部１８２における色調整処理動作について説明する。図９は色調整部１８２の色調整動作を示すフローチャートである。
【００８６】
はじめに、操作部１４の操作によって選択された色調整モード及び強度の情報を取り込む（ステップＳ１１）。次に、選択された色調整モード及び強度における調整係数ΔＬ及びΔＣの値がＲＯＭ１２に記憶された調整係数テーブルＴＢより読み込まれる（ステップＳ１２）。
【００８７】
続いて原稿画像のＬａｂ画像データが読み込まれ（ステップＳ１３）、ステップＳ１２で読み込まれた調整係数に応じて色調整処理が施される（ステップＳ１４）。色調整処理が施されたＬａｂ画像データは出力画像処理部３に出力される（ステップＳ１５）。
【００８８】
ここで、ステップＳ１４の色調整処理についてさらに詳細に説明する。はじめにステップＳ１３で読み込まれたＬａｂ画像データの明度をステップＳ１２で読み込まれたΔＬだけ補正する（ステップＳ１４１）。
【００８９】
Ｌａｂ画像データでは原稿画像の各画素はＬａｂ色空間上の座標で表現されており、座標が（ａｐ，ｂｐ，Ｌｐ）の点Ｐの明度Ｌ（Ｐ）は式１で表される。従って、点Ｐの明度をΔＬだけ補正した点Ｑの座標を（ａｑ，ｂｑ，Ｌｑ）とすると、
【００９０】
【数４】
2006237773.tif 000006
【００９１】
が成り立つ。式８〜１０より点Ｑの座標を得ることができ、Ｌａｂ画像データの各要素について補正後の座標を得ることによってＬａｂ画像データの明度をΔＬだけ補正することができる。
【００９２】
図６の調整係数テーブルＴＢにおいては、ΔＬが％で規定されているので、ΔＬはＬｐに依存した形になる。例えば強度１の「明モード」の場合、
【００９３】
【数５】
2006237773.tif 000007
【００９４】
となり、強度２の「濃モード」の場合、
【００９５】
【数６】
2006237773.tif 000008
【００９６】
となる。
【００９７】
次に、ステップＳ１３で読み込まれたＬａｂ画像データの彩度をステップＳ１２で読み込まれたΔＣだけ補正する（ステップＳ１４２）。
【００９８】
Ｌａｂ画像データでは原稿画像の各画素はＬａｂ色空間上の座標で表現されており、座標が（ａｐ，ｂｐ，Ｌｐ）の点Ｐの彩度Ｃ（Ｐ）は式２で表される。従って、点Ｐの彩度をΔＣだけ補正した点Ｒの座標を（ａｒ，ｂｒ，Ｌｒ）とすると、
【００９９】
【数７】
2006237773.tif 000009
【０１００】
が成り立つ。ただしａｒはａｐと、ｂｒはｂｐと等しい符号を有している。式１３〜１５の関係式から点Ｒの座標を得ることができ、Ｌａｂ画像データの各要素について補正後の座標を得ることによってＬａｂ画像データの彩度をΔＣだけ補正することができる。
【０１０１】
図６の調整係数テーブルＴＢにおいては、ΔＣが％で規定されているので、ΔＣはａｐ及びｂｐに依存した形になる。例えば強度１の「明モード」の場合、
【０１０２】
【数８】
2006237773.tif 000010
【０１０３】
となり、つまりは
【０１０４】
【数９】
2006237773.tif 000011
【０１０５】
となる。強度２の「淡モード」の場合、
【０１０６】
【数１０】
2006237773.tif 000012
【０１０７】
となり、つまりは
【０１０８】
【数１１】
2006237773.tif 000013
【０１０９】
となる。以上がステップＳ１４の色調整処理であり、これによって、各色調整モードに応じた色調整が施された色調整後Ｌａｂ画像データが得られる。
【０１１０】
なお、上記においては、所定の調整係数に応じて、明度及び彩度を線形的に変化させているが、非線形に変化させる補正を行うことも可能である。例えば、次のような非線形関数を用いることができる。
【０１１１】
【数１２】
2006237773.tif 000014
【０１１２】
すなわち、γは調整係数テーブルＴＢに各色調整モード及び強度毎に記憶させておいた所定の値である。ｘ及びｙは、ステップＳ１３で読み込まれたＬａｂ画像データの明度Ｌｐ及び補正後の明度Ｌｑを、０から１の範囲に正規化した値である。例えば、Ｌｐの値からｘを得る式は以下の通りである。ただし明度の定義域を０からＬｄとする。
【０１１３】
【数１３】
2006237773.tif 000015
【０１１４】
同様にｙの値から補正後の明度Ｌｑを得ることができる。彩度についても同様の非線形に変化させる補正を行うことが可能である。
【０１１５】
なお、この場合γを１より大きい値に設定することによって、入力値よりも小さい出力値を得ることができ、またγを１よりも小さい値に設定することによって、入力値よりも大きい出力値を得ることができる。例えば、入力値よりも小さい出力値を得たい場合は、明度の定義域の最大値Ｌｄの値が２５５の場合、γの値を１．８とすればよい。
【０１１６】
入力された明度及び彩度等の値を補正して出力する処理は、先に述べたように、入力値を所定の出力値に変換するプログラムを予めＲＯＭ１２に記憶することによって実現することが可能である。また、予めメモリに出力値を格納しておき、入力値をアドレスとして参照することによって、入力値を出力値に変換するＲＡＭ１３を用いて構成してもよい。さらに、ＲＡＭ１３を用いる代わりに、演算結果（出力値）を得るハードウェアにより構成してもよい。
【０１１７】
〈４．第２の実施の形態〉
第１の実施形態では、「明暗調整モード」を「明るく」と「暗く」とのそれぞれのモードの対として構成する一方、「濃淡調整モード」を「濃く」と「淡く」とのそれぞれのモードの対として構成したが、第２の実施の形態における色調整部１８２はそれぞれの対をひとつの色調整モードにまとめるとともに、変化方向としてプラスマイナスの符号を選択することによって、実質的に第１の実施形態と同様の機能を持たせている。
【０１１８】
図１０はＬａｂ色空間における平面ＰＨを表す図であり、第２の実施の形態において第１の実施の形態における図４と同等の意味を有するものである。図４において点Ｐを矢印Ｓ、Ｔ、Ｕ、Ｖの方向に移動させることは「明るさ」「暗さ」「濃さ」「淡さ」を上げることを意味していた。本実施の形態においては、点Ｐを矢印Ｓの＋方向に移動させることによって「明るさ」を上げ、点Ｐを矢印Ｓの−方向に移動させることによって「明るさ」を下げる。これは「暗さ」を上げることと同等である。つまり本実施の形態においては、４つの方向性によってではなく、「明暗調整モード」及び「濃淡調整モード」の２つの方向性における正方向と負方向によって、「明るさ」「暗さ」「濃さ」「淡さ」のそれぞれに関する色調整を可能としている。換言すると、「明るさ」を低減することによって、より「暗い」ものへと色調整し、「濃さ」を低減することによって、より「淡い」ものへと色調整している。
【０１１９】
〈４−１．色調整モード選択〉
図１１は第２の実施の形態における操作部１４のうちの関係部分を示す外観図である。操作部１４には３つの色調整モードを選択するボタン７１〜７３が配されている。各ボタンには「明るさ」「濃さ」「オート」と記されており、それぞれ「明モード」「濃モード」「オートモード」を意味している。さらに各色調整モードの強度選択を行うボタン８１〜８４、決定ボタン９１及び取り消しボタン９２が配されている。
【０１２０】
ユーザは、原稿を複写して得る画像をより「明るく」したい場合、色調整モード選択ボタン７１〜７３のうち「明るさ」と記されたボタン７１（明暗調整モード選択ボタン）を選択して操作する。次に明るくする度合いを強度選択ボタン８１〜８４のうち＋の符号を有した２つのボタン８１、８２から選択して操作する。
【０１２１】
一方、原稿を複写して得る画像をより「暗く」したい場合も、色調整モード選択ボタン７１〜７３のうち「明るさ」と記されたボタン７１（明暗調整モード選択ボタン）を選択して操作する。次に明るくする度合いを強度選択ボタン８１〜８４のうち−の符号を有した２つのボタン８３、８４から選択して操作する。
【０１２２】
「濃淡」の色調整モード選択についても同様であり、色調整モード選択ボタン７１〜７３相互の重複選択禁止機能も、第１の実施の形態と同様に設けられている。
【０１２３】
〈４−２．調整係数〉
図１２は、第２の実施の形態における調整係数テーブルＴＢの一例を示す図である。先に述べたように、「明モード」は原稿画像のＬａｂ画像データの各要素を図１０に示した矢印Ｓの正方向または負方向にΔＳだけ移動させるものである。同様に「濃モード」は矢印Ｕの正方向または負方向にΔＵだけ移動させるものである。
【０１２４】
また、ΔＳの値は調整の強度を規定する要素であり、ΔＳが正方向に大きいほど「明るく」なる度合いが大きく、負方向に大きいほど「暗く」なる度合いが大きい。つまり強度＋２、＋１、−１及び−２の「明モード」はそれぞれ点ＰをＳの正及び負方向にΔＳ２、ΔＳ１移動させてそれぞれＰＳ＋２、ＰＳ＋１、ＰＳ−１、ＰＳ−２とする（図１０参照）。「暗モード」においても同様である。
【０１２５】
先に述べたように例えば点Ｐを矢印Ｓの正方向にΔＳ移動させるには点Ｐの明度及び彩度を調整係数テーブルＴＢに応じて変化させればよい。なお、図１２の調整係数テーブルＴＢによると「明モード」「濃モード」のそれぞれにおいて明度変化量ΔＬと彩度変化量ΔＣの間には
【０１２６】
【数１４】
2006237773.tif 000016
【０１２７】
という相関関係があることがわかる。
【０１２８】
〈４−３．色調整処理〉
第２の実施形態における色調整部１８２における色調整処理動作については、第１の実施形態と同様である。
【０１２９】
〈５．その他の実施の形態〉
第１の実施の形態においては、オートモードを除いて、３段階の強度選択が手動指定できる４つの色調整モード、第２の実施の形態においては４段階の強度選択が手動指定できる２つの色調整モードを設けた構成としたが、より多くの強度選択段階及びより多種類の色調整モードを備えることも可能である。
【０１３０】
強度選択を多くするためには例えば、各色調整モードの有する方向性における変化幅をより広範に設けたり、より小刻みな段階設定を設ければよい。この場合、各強度に応じた調整係数テーブルＴＢをＲＯＭ１２に記憶させてもよいし、明度変化量ΔＬ及び彩度変化量ΔＣの相関関係をプログラムをＲＯＭ１２に記憶させておき、そこから強度選択に応じた明度変化量ΔＬ及び彩度変化量ΔＣを補間演算によって算出する構成でもよい。
【０１３１】
上述の感覚的用語以外の色の調子に関する感覚的用語についての色調整モードを設けるためには例えば、Ｌａｂ色空間において当該感覚的用語が有する方向性を、明度変化量ΔＬ及び彩度変化量ΔＣの相関関係によって規定すればよい。この相関関係より調整係数テーブルＴＢを作成が可能である。
【０１３２】
上述の各感覚的用語は全て色相に対して独立した方向性を有していたため調整係数テーブルＴＢは明度変化量ΔＬ及び彩度変化量ΔＣから構成されていたが、色相に対して独立でない感覚的用語の場合はＬａｂ色空間において当該感覚的用語が有する方向性は、明度変化量ΔＬ、彩度変化量ΔＣ及び色相変化量ΔＨの相関関係によって規定される。つまり、調整係数テーブルＴＢは明度変化量ΔＬ、彩度変化量ΔＣ及び色相変化量ΔＨから構成されることになる。
【０１３３】
また、彩度変化量ΔＣと色相変化量ΔＨとの２つの成分の相関的変化のような態様も可能である。たとえば、「あたたかく」という感覚的用語の場合は色相として赤味を相対的に増やしつつ赤の彩度も上げ、「すがすがしく」いう感覚的用語の場合は色相として青味を相対的に増やしつつ青の彩度も上げることができる。
【図面の簡単な説明】
【０１３４】
【図１】デジタルカラー複合機１００の構成を示すブロック図である。
【図２】入力画像処理部３及び出力画像処理部４の画像処理動作を示すフローチャートである。
【図３】Ｌａｂ色空間を表す図である。
【図４】Ｌａｂ色空間における平面ＰＨを表す図である。
【図５】第１の実施の形態における操作部１４を表す図である。
【図６】第１の実施の形態における調整係数テーブルＴＢの一例を示す図である。
【図７】Ｌａｂ色空間における平面ＰＨを表す図である。
【図８】第１の実施の形態における調整係数テーブルＴＢの別の例を示す図である。
【図９】色調整部１８２の色調整動作を示すフローチャートである。
【図１０】Ｌａｂ色空間における平面ＰＨを表す図である。
【図１１】第２の実施の形態における操作部１４を表す図である。
【図１２】第２の実施の形態における調整係数テーブルＴＢの一例を示す図である。
【符号の説明】
【０１３５】
３  入力画像処理部
４  出力画像処理部
１４  操作部
１６  第１画像処理部
１７  色空間変換処理部
１８  第２画像処理部
４１〜４５，７１〜７３  色調整モード選択ボタン
４１〜４４，７１、７２  手動色調整モード選択ボタン
１００  デジタルカラー複合機
１４１  重複選択禁止部
１８２  色調整部
【図１】
2006237773.tif 000017
【図２】
2006237773.tif 000018
【図３】
2006237773.tif 000019
【図４】
2006237773.tif 000020
【図５】
2006237773.tif 000021
【図６】
2006237773.tif 000022
【図７】
2006237773.tif 000023
【図８】
2006237773.tif 000024
【図９】
2006237773.tif 000025
【図１０】
2006237773.tif 000026
【図１１】
2006237773.tif 000027
【図１２】
2006237773.tif 000028
【手続補正書】
【提出日】平成17年12月20日(2005.12.20)
【手続補正１】
【補正対象書類名】明細書
【補正対象項目名】００２４
【補正方法】変更
【補正の内容】
【００２４】
請求項４記載の発明では、ユーザが複数のモードを指定しようとすると、先に指定したモードが強制的に取り消されるようになっているため、ユーザが意識的に重複選択を避ける操作をしなくても、重複選択を自動的に防止することができる。
【手続補正２】
【補正対象書類名】明細書
【補正対象項目名】００４１
【補正方法】変更
【補正の内容】
【００４１】
また、点Ｐを矢印Ｎの正方向に移動させることは色相及び明度を保ちつつ彩度を上げることを意味する。逆に矢印Ｎの負方向に移動させることは色相及び明度を保ちつつ彩度を下げることを意味する。例えば点Ｐの彩度をΔＣ上げたい場合には点Ｐを矢印Ｎの正方向にΔＣ移動させればよい。
【手続補正３】
【補正対象書類名】明細書
【補正対象項目名】００４２
【補正方法】変更
【補正の内容】
【００４２】
さらに、点Ｐを矢印Ｋの方向に移動させることは明度及び彩度を保ちつつ色相を変えることを意味する。例えば点Ｐの色相をΔＨ変化させたい場合には点Ｐを矢印Ｋの方向にＬ軸を中心として角度ΔＨ回転させればよい。
【手続補正４】
【補正対象書類名】明細書
【補正対象項目名】００４９
【補正方法】変更
【補正の内容】
【００４９】
図４からわかるように、矢印Ｓ〜Ｖはそれぞれ明度方向Ｍ及び彩度方向Ｎから規定される平面上にある直線である。ここで、これらの感覚的用語で表現される色調整の方向は、明度方向Ｍまたは彩度方向Ｎの一方に平行ではなく、明度方向Ｍまたは彩度方向Ｎの双方に対して傾きを持つ方向（複合的な変化方向）であるという点が重要である。すなわち、感覚的用語（日常語）としての「明るくする」という表現は、均等色空間上で「明度を上げる」ことには一致しておらず、均等色空間上で「濃度を下げる」という要素を含んでいるということである。同様に、感覚的用語としての「濃くする」という表現は、均等色空間上で「濃度を増加させる」ことには一致しておらず、均等色空間上で「明度を下げる」という要素を含んでいる。一般に、デジタルカラー複合機の一般ユーザは、均等色空間上での用語に対応して色調整の指示入力を行うことは少なく、ほとんどの場合は感覚的用語に従った色調整の指示を望むから、このような事情を考慮してデジタルカラー複合機１００の色調整機能を構成することが有益となる。そこで、Ｌａｂ色空間において各感覚的用語が有する方向性Ｓ〜Ｖを、明度と彩度との相関的変化、すなわち明度変化量ΔＬ及び彩度変化量ΔＣの相関関係によって規定することができる。